(57)【要約】  燃料電池システムは、燃料電池スタックの要求に応じて、燃料電池スタックに供給するカソードガス流量の目標値を算出し、燃料電池システムの運転状態に応じて、コンプレッサが供給するカソードガス流量を制御し、目標燃料電池供給流量に基づいて、コンプレッサから燃料電池スタックに供給されるカソードガスの流量が、目標燃料電池供給流量となるように、バイパス弁を制御し、バイパス弁が所定開度であって、燃料電池スタックへ供給されるカソードガス流量が目標燃料電池供給流量以上のときに、コンプレッサが供給するカソードガス流量を制限する。
2013187514.tif 000002
【特許請求の範囲】
【請求項１】
アノードガス及びカソードガスを燃料電池スタックに供給して発電する燃料電池システムであって、
カソードガスを供給するコンプレッサと、
前記コンプレッサから吐出されたカソードガスの一部を、前記燃料電池スタックをバイパスさせてカソードガス排出通路に排出するバイパス通路と、
前記バイパス通路に設けられ、前記バイパス通路を流れるカソードガスの流量を調節するバイパス弁と、
前記燃料電池スタックの要求に応じて、前記燃料電池スタックに供給するカソードガス流量の目標値を算出する目標燃料電池供給流量算出部と、
前記燃料電池システムの運転状態に応じて、前記コンプレッサが供給するカソードガス流量を制御するコンプレッサ供給流量制御部と、
目標燃料電池供給流量に基づいて、前記コンプレッサから燃料電池スタックに供給されるカソードガスの流量が、前記目標燃料電池供給流量となるように、バイパス弁を制御するバイパス弁制御部と、
前記バイパス弁が所定開度であって、燃料電池スタックへ供給されるカソードガス流量が前記目標燃料電池供給流量以上のときに、前記コンプレッサが供給するカソードガス流量を制限するコンプレッサ供給流量制限部と、
を備える燃料電池システム。
【請求項２】
前記コンプレッサ供給流量制限部は、
前記バイパス弁の全開時に前記バイパス通路へ供給できるバイパス可能流量に基づいて、前記コンプレッサが供給するカソードガス流量を制限する、
請求項１に記載の燃料電池システム。
【請求項３】
前記燃料電池スタックの電解質膜の湿潤度を要求湿潤度にするために、前記要求湿潤度と実湿潤度とに基づいて前記燃料電池スタックに供給する必要のあるカソードガス流量を算出する湿潤要求燃料電池供給流量算出部と、
前記燃料電池スタックの発電要求に基づいて、前記燃料電池スタックに供給するカソードガス流量を算出する発電要求燃料電池供給流量算出部と、
を備え、
前記目標燃料電池供給流量算出部は、
湿潤要求燃料電池供給流量、及び、発電要求燃料電池供給流量の大きいほうを、前記燃料電池スタックに供給すべきカソードガス流量の目標値とする、
請求項１又は請求項２に記載の燃料電池システム。
【請求項４】
前記コンプレッサ供給流量制御部は、
前記燃料電池システムの運転状態に応じて、前記コンプレッサが供給するカソードガス流量の暫定目標値を算出する暫定目標コンプレッサ供給流量算出部を備え、
前記コンプレッサ供給流量制限部は、
前記湿潤要求燃料電池供給流量と前記バイパス可能流量との加算値をコンプレッサ制限流量として算出し、暫定目標コンプレッサ供給流量、及び、前記コンプレッサ制限流量の小さいほうを選択することで、前記コンプレッサが供給するカソードガス流量を制限する、
請求項３に記載の燃料電池システム。
【請求項５】
前記コンプレッサ供給流量制御部は、
前記燃料電池システムから外気に排出する排出ガスに応じて、その排出ガスの水素濃度を所定濃度以下に希釈するためのカソードガス流量を希釈要求コンプレッサ供給流量として算出する希釈要求コンプレッサ供給流量算出部を備え、
前記目標燃料電池供給流量、及び、前記希釈要求コンプレッサ供給流量の大きい値に基づいてコンプレッサ供給流量を制御する、
請求項１から請求項４までのいずれか１つに記載の燃料電池システム。
【請求項６】
前記バイパス可能流量は、
前記バイパス弁の前後差圧に基づいて算出される、
請求項１から請求項５までのいずれか１つに記載の燃料電池システム。
【発明の詳細な説明】
【技術分野】
【０００１】
本発明は燃料電池システムに関する。
【背景技術】
【０００２】
燃料電池スタックへカソードガスを供給するためにコンプレッサを用いた場合、コンプレッサのサージ回避等のために、燃料電池スタックに供給すべき空気量より大きな流量をコンプレッサが供給しなければならないことがある。しかしながら、燃料電池スタックにとっては発電や湿潤管理のために必要な空気量以外は不要である。そのため、ＪＰ２００９−１２３５５０Ａには、従来の燃料電池システムとして、コンプレッサから吐出されたカソードガスのうち、燃料電池スタックにとって不要な空気量をバイパス通路を介してカソードガス排出通路に排出するものが開示されている。
【発明の概要】
【０００３】
しかしながら、前述した従来の燃料電池システムの場合、次のような不都合を生じる可能性が発明者によって知見された。
【０００４】
通常、バイパス通路の上流は、燃料電池スタック内の圧力と等しいため大気圧より高い圧力が設定されている。一方で、バイパス通路の下流はカソードガスの排出通路であって大気圧相当である。
【０００５】
したがって、バイパス通路に設けられるバイパスバルブを開くことで、この差圧によってバイパス流量を稼ぐことができるが、例えば、コンプレッサの熱保護等のために燃料電池スタックの圧力を落とさなければならない場合など、バイパスバルブを全開にしてもバイパス通路に燃料電池スタックにとって不要な空気量を流すことができない可能性がある。
【０００６】
このとき、コンプレッサは、サージ回避等のために必要な流量を流すだけで、燃料電池スタックが要求する流量を考慮していない。従って、バイパス通路に流せない分の空気は、燃料電池スタックに供給されることになり、管理している湿潤状態が乾燥側へずれてしまうといった不都合が生じる可能性がある。
【０００７】
本発明はこのような問題点に着目してなされたものであり、バイパス弁が所定の開度以上となっても、燃料電池スタックにとって不要な空気が供給されることを抑制することを目的とする。
【課題を解決するための手段】
【０００８】
本発明のある態様によれば、カソードガスを供給するコンプレッサと、コンプレッサから吐出されたカソードガスの一部を、燃料電池スタックをバイパスさせてカソードガス排出通路に排出するバイパス通路と、バイパス通路に設けられ、バイパス通路を流れるカソードガスの流量を調節するバイパス弁と、燃料電池スタックの要求に応じて、燃料電池スタックに供給するカソードガス流量の目標値を算出する目標燃料電池供給流量算出部と、燃料電池システムの運転状態に応じて、コンプレッサが供給するカソードガス流量を制御するコンプレッサ供給流量制御部と、目標燃料電池供給流量に基づいて、コンプレッサから燃料電池スタックに供給されるカソードガスの流量が、目標燃料電池供給流量となるように、バイパス弁を制御するバイパス弁制御部と、バイパス弁が所定開度であって、燃料電池スタックへ供給されるカソードガス流量が目標燃料電池供給流量以上のときに、コンプレッサが供給するカソードガス流量を制限するコンプレッサ供給流量制限部と、を備える燃料電池システムが提供される。【０００９】
本発明の実施形態、本発明の利点については、添付された図面を参照しながら以下に詳細に説明する。
【図面の簡単な説明】
【００１０】
【図１】図１は、本発明の一実施形態による燃料電池システムの概略図である。
【図２】図２は、希釈要求コンプレッサ供給流量と発電要求スタック供給流量との関係を燃料電池スタックの負荷に応じて示した図である。
【図３】図３は、本実施形態によるカソード系の制御ブロックを示したものである。
【図４】図４は、全開時基本バイパス流量算出マップである。
【図５】図５は、流量補正値算出テーブルである。
【図６】図６は、本実施形態によるカソード系の制御の動作について説明するタイムチャートである。
【図７】図７は、比較例によるカソード系の制御ブロックを示したものである。
【発明を実施するための形態】
【００１１】
燃料電池は電解質膜をアノード電極（燃料極）とカソード電極（酸化剤極）とによって挟み、アノード電極に水素を含有するアノードガス（燃料ガス）、カソード電極に酸素を含有するカソードガス（酸化剤ガス）を供給することによって発電する。アノード電極及びカソード電極の両電極において進行する電極反応は以下の通りである。
【００１２】
アノード電極  ：    ２Ｈ2 →４Ｈ+ ＋４ｅ-             …(１)
カソード電極  ：    ４Ｈ+ ＋４ｅ- ＋Ｏ2 →２Ｈ2Ｏ     …(２)
【００１３】
この（１）（２）の電極反応によって燃料電池は１ボルト程度の起電力を生じる。
【００１４】
燃料電池を自動車用動力源として使用する場合には、要求される電力が大きいため、数百枚の燃料電池を積層した燃料電池スタックとして使用する。そして、燃料電池スタックにアノードガス及びカソードガスを供給する燃料電池システムを構成して、車両駆動用の電力を取り出す。
【００１５】
図１は、本発明の一実施形態による燃料電池システム１００の概略図である。
【００１６】
燃料電池システム１００は、燃料電池スタック１と、カソードガス給排装置２と、アノードガス給排装置３と、コントローラ４と、を備える。
【００１７】
燃料電池スタック１は、数百枚の燃料電池を積層したものであり、アノードガス及びカソードガスの供給を受けて、車両の駆動に必要な電力を発電する。
【００１８】
カソードガス給排装置２は、燃料電池スタック１にカソードガスを供給するとともに、燃料電池スタック１から排出されるカソードオフガスを外気に排出する。カソードガス給排装置２は、カソードガス供給通路２０と、フィルタ２１と、カソードコンプレッサ２２と、カソードガス排出通路２３と、カソード調圧弁２４と、バイパス通路２５と、バイパス弁２６と、第１流量センサ２７と、第２流量センサ２８と、圧力センサ２９と、温度センサ３０と、を備える。
【００１９】
カソードガス供給通路２０は、燃料電池スタック１に供給するカソードガスが流れる通路である。カソードガス供給通路２０は、一端がフィルタ２１に接続され、他端が燃料電池スタック１のカソードガス入口孔に接続される。
【００２０】
フィルタ２１は、カソードガス供給通路２０に取り込むカソードガス中の異物を取り除く。
【００２１】
カソードコンプレッサ２２は、カソードガス供給通路２０に設けられる。カソードコンプレッサ２２は、フィルタ２１を介してカソードガスとしての空気（外気）をカソードガス供給通路２０に取り込み、燃料電池スタック１に供給する。
【００２２】
カソードガス排出通路２３は、燃料電池スタック１から排出されるカソードオフガスが流れる通路である。カソードガス排出通路２３は、一端が燃料電池スタック１のカソードガス出口孔に接続され、他端が開口端となっている。
【００２３】
カソード調圧弁２４は、カソードガス排出通路２３に設けられる。カソード調圧弁２４は、コントローラ４によって開閉制御されて、燃料電池スタック１に供給されるカソードガスの圧力を所望の圧力に調節する。
【００２４】
バイパス通路２５は、カソードコンプレッサ２２から吐出されたカソードガスの一部を、必要に応じて燃料電池スタッ１を経由させずに直接カソードガス排出通路２３に排出することができるように設けられた通路である。バイパス通路２５は、一端がカソードコンプレッサ２３よりも下流のカソードガス供給通路２１に接続され、他端がカソード調圧弁２４よりも下流のカソードガス排出通路２４に接続される。
【００２５】
バイパス弁２６は、バイパス通路２５に設けられる。バイパス弁２６は、コントローラ４によって開閉制御されて、バイパス通路２５を流れるカソードガスの流量（以下「バイパス流量」という。）を調節する。
【００２６】
第１流量センサ２７は、カソードコンプレッサ２３よりも上流のカソードガス供給通路２０に設けられる。第１流量センサ２７は、コンプレッサ２３に供給されるカソードガスの流量（以下「コンプレッサ供給流量」という。）を検出する。
【００２７】
第２流量センサ２８は、バイパス通路２６との接続部よりも下流のカソードガス供給通路２０、すなわち、燃料電池スタック１のカソードガス入口孔近傍のカソード供給通路２０に設けられる。第２流量センサ２８は、燃料電池スタック１に供給されるカソードガスの流量（以下「スタック供給流量」という。）を検出する。
【００２８】
圧力センサ２９は、バイパス通路２６との接続部よりも下流のカソードガス供給通路２０、すなわち、燃料電池スタック１のカソードガス入口孔近傍のカソード供給通路２０に設けられる。圧力センサ２９は、燃料電池スタックの入口圧（以下「スタック入口圧」という。）を検出する。
【００２９】
温度センサ３０は、カソードコンプレッサ２３の吐出側近傍のカソードガス供給通路２０に設けられる。温度センサ３０は、カソードコンプレッサ２３から吐出されたカソードガスの温度（以下「吐出温度」という。）を検出する。
【００３０】
アノードガス給排装置３は、燃料電池スタック１にアノードガスを供給するとともに、燃料電池スタック１から排出されるアノードオフガスを、カソードガス排出通路２３に排出する。アノードガス給排装置３は、高圧タンク３１と、アノードガス供給通路３２と、アノード調圧弁３３と、アノードガス排出通路３４と、パージ弁３５と、を備える。
【００３１】
高圧タンク３１は、燃料電池スタック１に供給するアノードガスを高圧状態に保って貯蔵する。
【００３２】
アノードガス供給通路３２は、高圧タンク３１から排出されるアノードガスを燃料電池スタック１に供給するための通路である。アノードガス供給通路３２は、一端が高圧タンク３１に接続され、他端が燃料電池スタック１のアノードガス入口孔に接続される。
【００３３】
アノード調圧弁３３は、アノードガス供給通路３２に設けられる。アノード調圧弁３４は、コントローラ４によって開閉制御されて、燃料電池スタック１に供給されるアノードガスの圧力を所望の圧力に調節する。
【００３４】
アノードガス排出通路３４は、燃料電池スタック１から排出されるアノードオフガスが流れる通路である。アノードガス排出通路３５は、一端が燃料電池スタック１のアノードガス出口孔に接続され、他端がカソードガス排出通路２３に接続される。
【００３５】
アノードガス排出通路３４を介してカソードガス排出通路２３に排出されたアノードオフガスは、カソードガス排出通路２３内でカソードオフガス及びバイパス通路２６を流れてきたカソードガスと混合されて燃料電池システム１００の外部に排出される。アノードオフガスには、電極反応に使用されなかった余剰のアノードガス（水素）が含まれているので、このようにカソードオフガス及びカソードガスと混合させて燃料電池システム１００の外部に排出することで、その排出ガス中の水素濃度が予め定められた所定濃度以下となるようにしている。
【００３６】
パージ弁３５は、アノードガス排出通路３４に設けられる。パージ弁３５は、コントローラ４によって開閉制御され、アノードガス排出通路３４からカソードガス排出通路２３に排出するアノードオフガスの流量を制御する。
【００３７】
コントローラ４は、中央演算装置（ＣＰＵ）、読み出し専用メモリ（ＲＯＭ）、ランダムアクセスメモリ（ＲＡＭ）及び入出力インタフェース（Ｉ／Ｏインタフェース）を備えたマイクロコンピュータで構成される。コントローラ４には、前述した第１流量センサ２７や第２流量センサ２８、圧力センサ２９、温度センサ３０の他にも、大気圧を検出する大気圧センサ４１などの各種センサからの信号が入力される。
【００３８】
コントローラ４は、これらの入力信号に基づいて、燃料電池システム１００の外部に排出される排出ガス中の水素濃度を所定濃度以下にするという要求（以下「希釈要求」という。）と、駆動モータなどの燃料電池システム１００の各電気部品が要求する電力（以下「要求出力電力」という。）を燃料電池スタック１で発電するという要求（以下「発電要求」という。）と、の２つの要求を同時に満足するように、カソードコンプレッサ２２及びバイパス弁２６をフィードバック制御する。
【００３９】
図２は、燃料電池システム１００の外部に排出される排出ガスの水素濃度を、所定濃度以下にするために必要なコンプレッサ供給流量（以下「希釈要求コンプレッサ供給流量」という。）と、要求出力電力を発電するために必要なスタック供給流量（以下「発電要求スタック供給流量」という。）と、の関係を、燃料電池スタック１の負荷（＝要求出力電力）に応じて示した図である。
【００４０】
図２に示すように、中高負荷領域では、発電要求スタック供給流量のほうが、希釈要求コンプレッサ供給よりも大きくなる。
【００４１】
この場合は、単純に目標コンプレッサ供給流量を発電要求スタック供給流量としてカソードコンプレッサ２２をフィードバック制御すれば、燃料電池スタック１に供給されるカソードガスの流量が発電要求スタック供給流量となるので、燃料電池スタック１で要求発電電力を発電することができる。そして、燃料電池スタック１から排出されるカソードオフガスによって、アノードガス排出通路３４からカソードガス排出通路２３に流れてきたアノードオフガスを希釈して、排出ガスの水素濃度を所定濃度以下にすることができる。
【００４２】
一方で、図２に示すように、低負荷領域では、希釈要求コンプレッサ供給流量のほうが、発電要求スタック供給流量よりも大きくなる。
【００４３】
この場合に、単純に目標コンプレッサ供給流量を発電要求スタック供給流量としてカソードコンプレッサ２２をフィードバック制御すると、燃料電池スタック１では要求発電電力を発電することができるが、燃料電池スタック１から排出されるカソードオフガスによってアノードガス排出通路３４からカソードガス排出通路２３に流れてきたアノードオフガスを希釈しても、排出ガスの水素濃度を所定濃度以下にすることができない。
【００４４】
したがって、低負荷領域で排出ガスの水素濃度を所定濃度以下にするためには、目標コンプレッサ供給流量を希釈要求コンプレッサ供給流量としてカソードコンプレッサ２２をフィードバック制御し、燃料電池スタック１で要求発電電力を発電するために必要なカソードガス流量（発電要求スタック供給流量）よりも多くのカソードガスをカソードコンプレッサ２２によって供給しなければならない。そうすると、発電に不要な余剰のカソードガスが燃料電池スタック１に供給されることになるので、燃料電池スタック１を構成する各燃料電池の電解質膜が乾燥して燃料電池スタック１の発電効率が低下するおそれがある。
【００４５】
そのため、発電要求スタック供給流量よりも希釈要求コンプレッサ供給流量のほうが大きくなったときは、目標コンプレッサ供給流量を希釈要求コンプレッサ供給流量としてカソードコンプレッサ２２をフィードバック制御しつつ、スタック供給流量が発電要求スタック供給流量となるようにバイパス弁２６をフィードバック制御して、発電に不要な余剰のカソードガスをバイパス通路２５に流す必要がある。つまり、バイパス流量が、希釈要求コンプレッサ供給流量から発電要求スタック供給流量を引いた流量（希釈要求コンプレッサ供給流量−発電要求スタック供給流量）となるように、バイパス弁２６を開く必要がある。
【００４６】
ここで、このようなフィードバック制御によってカソードコンプレッサ２２及びバイパス弁２６を制御しようとすると、バイパス弁２６が全開まで開かれたときに燃料電池スタック１の発電効率が低下するという問題が生じることがわかった。以下では、本発明の理解を容易にするために、本実施形態によるカソード系の制御について説明する前に、図７を参照して比較例によるカソード系の制御について説明し、バイパス弁２６が全開まで開かれたときの問題点について説明する。
【００４７】
図７は、比較例によるカソード系の制御ブロックを示したものである。
【００４８】
比較例によるカソード系の制御ブロックは、湿潤要求スタック供給流量算出部１０１と、目標スタック供給流量設定部１０２と、スタック要求コンプレッサ供給流量算出部１０３と、目標コンプレッサ供給流量設定部１０４と、カソードコンプレッサ制御部１０５と、目標バイパス弁開度算出部１０６と、バイパス弁制御部１０７と、を備える。
【００４９】
湿潤要求スタック供給流量算出部１０１には、交流インピーダンス法によって算出された燃料電池スタック１の実インピーダンスと、燃料電池スタック１の負荷に応じて予め定められた目標インピーダンスと、が入力される。
【００５０】
湿潤要求スタック供給流量算出部１０１は、実インピーダンスを目標インピーダンスにするために必要なスタック供給流量を到達湿潤要求スタック供給流量として設定し、その設定した到達湿潤要求スタック供給流量に向けて、スタック供給流量を所定の過渡応答で変化させる際の目標値を、湿潤要求スタック供給流量として算出する。到達湿潤要求スタック供給流量は、換言すれば電解質膜の湿潤度（含水率）を、燃料電池スタック１の負荷に応じた最適な湿潤度（要求湿潤度）に制御するために必要なスタック供給流量である。
【００５１】
目標スタック供給流量設定部１０２には、燃料電池スタック１の負荷に応じて予め定められた発電要求スタック供給流量と、湿潤要求スタック供給流量と、が入力される。目標スタック供給流量設定部１０２は、発電要求スタック流量と、湿潤要求スタック供給流量と、のうちの大きいほうを目標スタック供給流量として設定する。このように、目標スタック供給流量設定部１０２は、燃料電池スタック１の負荷に応じた最適なスタック供給流量を目標スタック供給流量として設定する。
【００５２】
スタック要求コンプレッサ供給流量算出部１０３には、第２流量センサ２８で検出されたスタック供給流量（以下「実スタック供給流量」という。）と、目標スタック供給流量と、が入力される。スタック要求コンプレッサ供給流量算出部１０３は、実スタック供給流量を所定の過渡応答で目標スタック供給流量に向けて変化させるためのコンプレッサ供給流量の目標値を、スタック要求コンプレッサ供給流量として算出する。
【００５３】
目標コンプレッサ供給流量設定部１０４には、燃料電池スタック１の負荷に応じて定まる希釈要求コンプレッサ供給流量と、スタック要求コンプレッサ供給流量と、が入力される。目標コンプレッサ供給流量設定部１０４は、希釈要求コンプレッサ供給流量と、スタック要求コンプレッサ供給流量と、のうちの大きいほうを、目標コンプレッサ供給流量として設定する。
【００５４】
カソードコンプレッサ制御部１０５には、第１流量センサ２７で検出されたコンプレッサ供給流量（以下「実コンプレッサ供給流量」という。）と、目標コンプレッサ供給流量と、が入力される。カソードコンプレッサ制御部１０５は、実コンプレッサ供給流量が目標コンプレッサ供給流量になるように、カソードコンプレッサ２２を制御する。
【００５５】
目標バイパス弁開度算出部１０６には、実スタック供給流量と、目標スタック供給流量と、が入力される。目標バイパス弁開度算出部１０６は、実スタック供給流量と目標スタック供給流量との差分量（実スタック供給流量−目標スタック供給流量）に基づいて目標バイパス弁開度を算出する。目標バイパス弁開度は、実スタック供給流量が目標スタック供給流量よりも多いときに、その差分量をバイパス通路２５に流すために必要なバイパス弁２６の開度である。したがって、目標バイパス弁開度は、差分量が大きくなるほど大きくなり、差分量がゼロ以下のときはゼロ（全閉）となる。
【００５６】
バイパス弁制御部１０７には、バイパス弁２６の実開度と、目標バイパス弁開度が入力される。バイパス弁制御部１０７は、バイパス弁２６の開度を目標バイパス弁開度に制御する。
【００５７】
この比較例によるカソード系の制御では、目標スタック供給流量設定部１０２で目標スタック供給流量として湿潤要求スタック供給流量が選択されていれば、スタック要求コンプレッサ供給流量算出部１０３において、スタック供給流量を湿潤要求スタック供給流量にするために必要なコンプレッサ供給流量が、スタック要求コンプレッサ供給流量として算出される。
【００５８】
このとき、スタック要求コンプレッサ供給流量が希釈要求コンプレッサ供給流量よりも大きければ、目標コンプレッサ供給流量設定部１０４において、スタック要求コンプレッサ供給流量が目標コンプレッサ供給流量として選択される。
【００５９】
そして、コンプレッサ供給流量がスタック要求コンプレッサ供給流量となるようにカソードコンプレッサ２２がフィードバック制御される。
【００６０】
この場合は、実スタック供給流量が目標スタック供給流量に収束していくので、フィードバック制御によってバイパス弁２６は全閉に制御されることになる。これにより、実インピーダンスが目標インピーダンスに制御される。
【００６１】
一方で、スタック要求コンプレッサ供給流量が希釈要求コンプレッサ供給流量よりも小さければ、目標コンプレッサ供給流量設定部１０４において、希釈要求コンプレッサ供給流量が目標コンプレッサ供給流量として選択される。
【００６２】
そして、コンプレッサ供給流量が希釈要求コンプレッサ供給流量となるようにカソードコンプレッサ２２がフィードバック制御される。
【００６３】
この場合は、実スタック供給流量が目標スタック供給流量よりも大きくなっていくので、実スタック供給流量が目標スタック供給流量となるように、フィードバック制御によってバイパス弁２６が徐々に開かれることになる。
【００６４】
このとき、バイパス弁２６が全開まで開かれてしまうと、実スタック供給流量を目標スタック供給流量にすることができず、実スタック供給流量が目標スタック供給流量よりも大きくなってしまう。この状態が続くと、電解質膜が乾燥して燃料電池スタック１の発電効率が低下してしまうので、実スタック供給流量が目標スタック供給流量となるように、すなわち実インピーダンスが目標インピーダンスとなるように、コンプレッサ供給流量を減少させたい。
【００６５】
ここで、実スタック供給流量が目標スタック供給流量よりも大きくなると、スタック要求コンプレッサ供給流量算出部１０３では、スタック要求コンプレッサ供給流量を減らす方向に制御しようとする。
【００６６】
しかしながら、比較例によるカソード系の制御では、目標コンプレッサ供給流量設定部１０４において、希釈要求コンプレッサ供給流量及びスタック要求コンプレッサ供給流量の大きいほうを目標コンプレッサ供給流量として設定している。そのため、希釈要求コンプレッサ供給流量が目標コンプレッサ供給流量として選択されているときに、スタック要求コンプレッサ供給流量を減らす方向に制御してしまうと、希釈要求コンプレッサ供給流量が目標コンプレッサ供給流量として選択され続けてしまう。
【００６７】
その結果、バイパス弁２６が全開まで開かれてしまうと、実スタック供給流量が目標スタック供給流量よりも大きくなる状態が続いてしまい、燃料電池スタック１の発電効率が低下するという問題が生じるのである。
【００６８】
そこで本実施形態では、バイパス弁２６が全開まで開かれたときは、実スタック供給流量が目標スタック供給流量となるようにコンプレッサ供給流量を減少させるべく、カソード系の制御を構成することとした。以下、この本実施形態によるカソード系の制御について説明する。
【００６９】
図３は、本実施形態によるカソード系の制御ブロックを示したものである。なお、本実施形態によるカソード系の制御ブロックにおいて、比較例によるカソード系の制御ブロックと同様の機能を果たす部分は、同一の符号を用いて重複する説明を適宜省略する。
【００７０】
本実施形態によるカソード系の制御ブロックは、湿潤要求スタック供給流量算出部１０１、目標スタック供給流量設定部１０２、スタック要求コンプレッサ供給流量算出部１０３、カソードコンプレッサ制御部１０５、目標バイパス弁開度算出部１０６、及び、バイパス弁制御部１０７の他に、暫定目標コンプレッサ供給流量設定部１１１と、全開時推定バイパス流量算出部１１２と、コンプレッサ制限流量算出部１１３と、目標コンプレッサ供給流量設定部１１４と、を備える。
【００７１】
暫定目標コンプレッサ供給流量設定部１１１には、希釈要求コンプレッサ供給流量と、スタック要求コンプレッサ供給流量と、が入力される。暫定目標コンプレッサ供給流量設定部１１１は、希釈要求コンプレッサ供給流量と、スタック要求コンプレッサ供給流量と、のうちの大きいほうを、暫定目標コンプレッサ供給流量として設定する。
【００７２】
全開時推定バイパス流量算出部１１２は、現在の燃料電池システム１００の運転状態で、バイパス弁２６の開度が全開であると仮定したときのバイパス流量の推定値（以下「全開時推定バイパス流量」という。）を算出する。
【００７３】
全開時推定バイパス流量算出部１１２は、全開時基本バイパス流量算出部１１２１と、流量補正値算出部１１２２と、乗算部１１２３と、を備える。
【００７４】
全開時基本バイパス流量算出部１１２１には、スタック入口圧と、大気圧と、が入力される。全開時基本バイパス流量算出部１１２１は、図４に示す全開時基本バイパス流量算出マップを参照し、スタック入口圧と大気圧とに基づいて、全開時基本バイパス流量を算出する。図４の全開時基本バイパス流量算出マップに示すように、全開時基本バイパス流量は、スタック入口圧（ゲージ圧）、すなわちバイパス弁２６の上流側の圧力が高くなるほどバイパス弁２６の前後差圧が大きくなるので多くなる。また、スタック入口圧（ゲージ圧）が一定であれば、大気圧が高くなるほど多くなる。
【００７５】
流量補正値算出部１１２２には、吐出温度が入力される。流量補正値算出部１１２２は、図５に示す流量補正値算出テーブルを参照し、吐出温度に基づいて補正値を算出する。図５の流量補正値算出テーブルに示すように、流量補正値は、吐出温度が低くなるほど小さくなる。
【００７６】
乗算部１１２３には、全開時基本バイパス流量と、流量補正値と、が入力される。乗算部１１２３は、全開時基本バイパス流量と流量補正値とを掛け合わせたものを、全開時推定バイパス流量として出力する。
【００７７】
コンプレッサ制限流量算出部１１３には、湿潤要求スタック供給流量と、全開時推定バイパス流量と、が入力される。コンプレッサ制限流量算出部１１３は、湿潤要求スタック供給流量と全開時推定バイパス流量とを足し合わせて、コンプレッサ制限流量を算出する。
【００７８】
目標コンプレッサ供給流量設定部１１４には、暫定目標コンプレッサ供給流量と、コンプレッサ制限流量と、が入力される。目標コンプレッサ供給流量設定部１１４は、暫定目標コンプレッサ供給流量と、コンプレッサ制限流量と、のうちの小さいほうを、目標コンプレッサ供給流量として設定する。このように、目標コンプレッサ供給流量設定部１１４は、希釈要求、発電要求及び湿潤要求等の燃料電池システム全体の運転状態を考慮して、燃料電池システムの運状態に応じた最適なコンプレッサ供給流量を目標コンプレッサ供給流量として設定する。
【００７９】
この本実施形態によるカソード系の制御によれば、以下の理由によって、バイパス弁２６が全開まで開かれたときに、実スタック供給流量が目標スタック供給流量となるようにコンプレッサ供給流量を減少させることができる。
【００８０】
この本実施形態によるカソード系の制御においても、バイパス弁２６が全開まで開かれて、実スタック供給流量が目標スタック供給流量よりも大きくなると、スタック要求コンプレッサ供給流量算出部１０３で算出されるスタック要求コンプレッサ供給流量は小さくなっていく。その結果、暫定目標コンプレッサ供給流量設定部１１１では、希釈要求コンプレッサ供給流量が暫定目標コンプレッサ供給流量として選択されることになる。
【００８１】
また、バイパス弁２６が全開まで開かれて、実スタック供給流量が目標スタック供給流量よりも大きくなると、電解質膜が乾燥することによって、実インピーダンスが目標インピーダンスよりも増加していく。そうすると、湿潤要求スタック供給流量算出部１０１では、実インピーダンスが目標インピーダンスとなるようなスタック供給流量を湿潤要求スタック供給流量として算出する。したがって、湿潤要求スタック供給流量は、バイパス弁２６が全開まで開かれたときの実スタック供給流量よりも小さい値となる。
【００８２】
そして、本実施形態では、この湿潤要求スタック供給流量に全開時推定バイパス流量を足し合わせたものを、コンプレッサ制限流量として目標コンプレッサ供給流量設定部１１４に入力する。
【００８３】
ここで、バイパス弁２６が全開まで開かれたときに目標コンプレッサ供給流量設定部１１４に入力されるコンプレッサ制限流量は、湿潤要求スタック供給流量と全開時推定バイパス流量との和である。一方、暫定目標コンプレッサ供給流量として目標コンプレッサ供給流量設定部１１４に入力される希釈要求コンプレッサ供給流量は、実スタック供給流量（＞湿潤要求スタック供給流量）と全開時推定バイパス流量との和と考えることができる。
【００８４】
したがって、バイパス弁２６が全開まで開かれたときに目標コンプレッサ供給流量設定部１１４に入力されるコンプレッサ制限流量は、暫定目標コンプレッサ供給流量として目標コンプレッサ供給流量設定部１１４に入力される希釈要求コンプレッサ供給流量よりも小さくなる。
【００８５】
その結果、バイパス弁２６が全開まで開かれたときは、目標コンプレッサ供給流量設定部１１４において、コンプレッサ制限流量が目標コンプレッサ供給流量として設定される。
【００８６】
これにより、バイパス弁２６が全開まで開かれたときは、実スタック供給流量が湿潤供給スタック供給流量となるようにカソードコンプレッサ２２がフィードバック制御されることになるので、増加した実インピーダンスを目標インピーダンスに向けて収束させることができる。よって、実スタック供給流量が目標スタック供給流量よりも大きくなる状態が続くのを抑制できるので、電解質膜の乾燥を抑制して燃料電池スタック１の発電効率が低下するのを抑制できる。
【００８７】
図６は、本実施形態によるカソード系の制御の動作について説明するタイムチャートである。本発明の理解を容易にするため、必要に応じて比較例によるカソード系の制御の動作を細い実線で示した。
【００８８】
時刻ｔ１では、暫定目標コンプレッサ供給流量設定部１１１において、希釈要求コンプレッサ供給流量が暫定目標コンプレッサ供給流量として設定され、目標コンプレッサ供給流量設定部１１４において、その暫定目標コンプレッサ供給流量が目標コンプレッサ供給流量として設定されているものとする。
【００８９】
時刻ｔ１で、吐出温度がカソードコンプレッサ２２の耐熱性能等から定まる所定の許容温度以上になると、吐出温度を低下させるためにカソード調圧弁２４が開かれ、カソードコンプレッサ２２の吐出側の圧力（＝スタック入口圧）が低下させられる（図６（Ｆ））。スタック入口圧が低下すると、バイパス弁２６の前後差圧が小さくなるので、バイパス弁２６の開度が同じであればバイパス流量は低下する。そのため、時刻ｔ１でスタック入口圧が低下させられると、バイパス流量を維持するために、スタック入口圧の低下に併せてバイパス弁２６が徐々に開かれる（図６（Ｄ）（Ｅ））。
【００９０】
時刻ｔ２で、バイパス弁２６が全開まで開かれると、その後はスタック入口圧の低下に併せて徐々にバイパス流量が低下していき（図６（Ｄ）（Ｅ））、実スタック供給流量が目標スタック供給流量（ここでは湿潤要求スタック供給流量）よりも大きくなっていく（図６（Ｃ））。その結果、実インピーダンスが目標インピーダンスよりも大きくなっていく（図６（Ａ））。
【００９１】
実スタック供給流量が目標スタック供給流量よりも大きくなると、スタック要求コンプレッサ供給流量算出部１０３では、実スタック供給流量が目標スタック供給流量になるように、スタック要求コンプレッサ供給流量を減らす方向に制御しようとする。
【００９２】
しかしながら、比較例の場合は、目標コンプレッサ供給流量設定部１０４において、希釈要求コンプレッサ供給流量とスタック要求コンプレッサ供給流量の大きいほうを目標コンプレッサ供給流量として選択していた。そのため、スタック要求コンプレッサ供給流量が減少することによって、目標コンプレッサ供給流量設定部１０４において、希釈要求コンプレッサ供給流量が目標コンプレッサ供給流量として選択され続けてしまう（図６（Ｂ））。
【００９３】
その結果、比較例の場合は、時刻ｔ２でバイパス弁２６が開かれて実スタック供給流量が目標スタック供給流量よりも大きくなっても、コンプレッサ供給流量が希釈要求コンプレッサ供給流量のままとなって実スタック供給流量を目標スタック供給流量にすることができず、実インピーダンスが目標インピーダンスよりも大きい状態が続くことになる。
【００９４】
これ対して本実施形態の場合は、バイパス弁２６が全開まで開かれると、目標コンプレッサ供給流量設定部１１４において、コンプレッサ制限流量が目標コンプレッサ供給流量として設定されることになる（時刻ｔ３、図６（Ｂ））。
【００９５】
これにより、コンプレッサ制限流量は湿潤要求スタック供給流量と全開時推定バイパス流量との和なので、実スタック供給流量を湿潤要求スタック供給流量に制御することができ、実インピーダンスを目標インピーダンスに制御することができる（図６（Ａ））。その結果、電解質膜の乾燥を抑制でき、燃料電池スタック１の発電効率が低下するのを抑制することができる。
【００９６】
なお、このように、希釈要求コンプレッサ供給流量が暫定目標コンプレッサ供給流量として選択されている場合に、最終的な目標コンプレッサ供給流量としてコンプレッサ制限流量が選択されたときは、パージ弁３５を閉じる方向に制御することで、排出ガスの水素濃度が所定濃度以上になるのを防止すれば良い。
【００９７】
以上説明した本実施形態によれば、燃料電池スタックの負荷に応じて、発電要求スタック供給流量及び湿潤要求スタック供給流量の一方を目標スタック供給流量として算出し、スタック供給流量が目標スタック供給流量となるようにバイパス弁２６をフィードバック制御することとした。
【００９８】
また、燃料電池システムの運転状態に応じて、スタック要求コンプレッサ供給流量及び希釈要求スタック供給流量の一方を暫定目標コンプレッサ供給流量として算出することとした。そして、暫定目標コンプレッサ供給流量として希釈要求スタック供給流量が選択されている場合にバイパス弁２６が全開になったときは、その暫定目標コンプレッサ供給流量よりも少ない流量を目標コンプレッサ供給流量としてカソードコンプレッサ２２をフィードバック制御することとした。具体的には、全開時推定バイパス流量と湿潤要求スタック供給流量とを足し合わせたものをコンプレッサ制限流量とし、暫定目標コンプレッサ供給流量とコンプレッサ制限流量の小さいほうを目標コンプレッサ供給流量としてカソードコンプレッサ２２をフィードバック制御することとした。
【００９９】
これにより、バイパス弁２６が全開になるまでは、希釈要求を満足しつつ、実スタック供給流量が目標スタック供給流量となるようにカソードコンプレッサ２２及びバイパス弁２６をフィードバック制御することができる。
【０１００】
そしてバイパス弁２６が全開になって、実スタック供給流量が目標スタック供給流量よりも大きくなったときは、実スタック供給流量が湿潤供給スタック供給流量となるようにカソードコンプレッサ２２をフィードバック制御することができる。よって、実スタック供給流量が目標スタック供給流量よりも大きくなる状態が続くのを抑制できるので、電解質膜の乾燥を抑制して燃料電池スタック１の発電効率が低下するのを抑制できる。
【０１０１】
このように、本実施形態によれば、何らかの理由によりバイパス弁が所定開度（たとえば、全開）になったときであっても、発電に不要なカソードガスが燃料電池に供給されるのを抑制できるので、電解質膜の乾燥を抑制することができる。
【０１０２】
以上、本発明の実施形態について説明したが、上記実施形態は本発明の適用例の一部を示したに過ぎず、本発明の技術的範囲を上記実施形態の具体的構成に限定する趣旨ではない。
【０１０３】
上記実施形態では、目標スタック供給流量算出部１０２に、発電要求スタック供給流量と湿潤要求スタック供給流量とを入力していたが、これ以外に、燃料電池スタック１の負荷に応じて定まるフラッディング防止用のスタック供給流量を入力し、これらの最大値を目標スタック供給流量としても良い。
【０１０４】
また、上記実施形態では、暫定目標コンプレッサ供給流量算出部１１１に、希釈要求コンプレッサ供給流量とスタック要求コンプレッサ供給流量とを入力していたが、これ以外に、カソードコンプレッサ２２のサージング防止用のコンプレッサ供給流量を入力し、これらの最大値を暫定目標コンプレッサ供給流量としても良い。
【０１０５】
本願は、２０１２年６月１５日に日本国特許庁に出願された特願２０１２−１３５７２１号に基づく優先権を主張し、この出願の全ての内容は参照により本明細書に組み込まれる。
【図１】
2013187514.tif 000003
【図２】
2013187514.tif 000004
【図３】
2013187514.tif 000005
【図４】
2013187514.tif 000006
【図５】
2013187514.tif 000007
【図６】
2013187514.tif 000008
【図７】
2013187514.tif 000009
【手続補正書】
【提出日】平成25年12月17日(2013.12.17)
【手続補正１】
【補正対象書類名】明細書
【補正対象項目名】００１３
【補正方法】変更
【補正の内容】
【００１３】
、スタック要求コンプレッサ供給流量と、のうちの大きいほうを、暫定目標コンプレッサ供給流量として設定する。
［００７２］
全開時推定バイパス流量算出部１１２は、現在の燃料電池システム１００の運転状態で、バイパス弁２６の開度が全開であると仮定したときのバイパス流量の推定値（以下「全開時推定バイパス流量」という。）を算出する。
［００７３］
全開時推定バイパス流量算出部１１２は、全開時基本バイパス流量算出部１１２１と、流量補正値算出部１１２２と、乗算部１１２３と、を備える。
［００７４］
全開時基本バイパス流量算出部１１２１には、スタック入口圧と、大気圧と、が入力される。全開時基本バイパス流量算出部１１２１は、図４に示す全開時基本バイパス流量算出マップを参照し、スタック入口圧と大気圧とに基づいて、全開時基本バイパス流量を算出する。図４の全開時基本バイパス流量算出マップに示すように、全開時基本バイパス流量は、スタック入口圧（ゲージ圧）、すなわちバイパス弁２６の上流側の圧力が高くなるほどバイパス弁２６の前後差圧が大きくなるので多くなる。また、スタック入口圧（ゲージ圧）が一定であれば、大気圧が低くなるほど多くなる。
［００７５］
流量補正値算出部１１２２には、吐出温度が入力される。流量補正値算出部１１２２は、図５に示す流量補正値算出テーブルを参照し、吐出温度に基づいて補正値を算出する。図５の流量補正値算出テーブルに示すように、流量補正値は、吐出温度が高くなるほど小さくなる。
［００７６］
乗算部１１２３には、全開時基本バイパス流量と、流量補正値と、が入力される。乗算部１１２３は、全開時基本バイパス流量と流量補正値とを掛け合わせたものを、全開時推定バイパス流量として出力する。
［００７７］
コンプレッサ制限流量算出部１１３には、湿潤要求スタック供給流量と、全開時推定バイパス流量と、が入力される。コンプレッサ制限流量算出部１１３は、湿潤要求スタック供給流量と全開時推定バイパス流量とを足し合わせて、コンプレッサ制限流量を算出する。
［００７８］
目標コンプレッサ供給流量設定部１１４には、暫定目標コンプレッサ供給流量と、コンプレッサ制限流量と、が入力される。目標コンプレッサ供給流
【手続補正２】
【補正対象書類名】図面
【補正対象項目名】図４
【補正方法】変更
【補正の内容】
【図４】
2013187514.tif 000010
【手続補正書】
【提出日】平成26年4月25日(2014.4.25)
【手続補正１】
【補正対象書類名】特許請求の範囲
【補正対象項目名】全文
【補正方法】変更
【補正の内容】
【特許請求の範囲】
【請求項１】
アノードガス及びカソードガスを燃料電池スタックに供給して発電する燃料電池システムであって、
カソードガスを供給するコンプレッサと、
前記コンプレッサから吐出されたカソードガスの一部を、前記燃料電池スタックをバイパスさせてカソードガス排出通路に排出するバイパス通路と、
前記バイパス通路に設けられ、前記バイパス通路を流れるカソードガスの流量を調節するバイパス弁と、
前記燃料電池スタックの負荷と湿潤要求とに応じて、前記燃料電池スタックに供給するカソードガス流量の目標値を算出する目標スタック供給流量算出部と、
前記燃料電池システムの運転状態に応じて、前記コンプレッサが供給するカソードガス流量を制御するコンプレッサ供給流量制御部と、
目標スタック供給流量に基づいて、前記コンプレッサから前記燃料電池スタックに供給されるカソードガスの流量が、前記目標スタック供給流量となるように、前記バイパス弁を制御するバイパス弁制御部と、
前記燃料電池スタックの湿潤要求に基づいて、前記燃料電池システムの運転状態に応じて前記コンプレッサにより制御されるカソードガス流量を制限するコンプレッサ供給流量制限部と、
を備える燃料電池システム。
【請求項２】
前記コンプレッサ供給流量制限部は、
前記コンプレッサが供給するカソードガス流量を、前記燃料電池スタックの電解質膜の湿潤度を要求湿潤度にするために前記燃料電池スタックに供給する必要のあるカソードガス流量と、前記バイパス弁の全開時に前記バイパス通路へ供給できるバイパス可能流量と、の加算値に制限する、
請求項１に記載の燃料電池システム。
【請求項３】
前記燃料電池スタックの電解質膜の湿潤度を要求湿潤度にするために、前記要求湿潤度と実湿潤度とに基づいて前記燃料電池スタックに供給する必要のあるカソードガス流量を算出する湿潤要求スタック供給流量算出部と、
前記燃料電池スタックの負荷に基づいて、前記燃料電池スタックに供給するカソードガス流量を算出する発電要求スタック供給流量算出部と、
を備え、
前記目標スタック供給流量算出部は、
前記湿潤要求スタック供給流量、及び、前記発電要求スタック供給流量の大きいほうを、前記燃料電池スタックに供給すべきカソードガス流量の目標値とする、
請求項１又は請求項２に記載の燃料電池システム。
【請求項４】
前記コンプレッサ供給流量制御部は、
前記燃料電池システムの運転状態に応じて、前記コンプレッサが供給するカソードガス流量の暫定目標値を算出する暫定目標コンプレッサ供給流量算出部を備え、
前記コンプレッサ供給流量制限部は、
前記湿潤要求スタック供給流量と前記バイパス弁の全開時に前記バイパス通路へ供給できるバイパス可能流量との加算値をコンプレッサ制限流量として算出し、暫定目標コンプレッサ供給流量、及び、前記コンプレッサ制限流量の小さいほうを選択することで、前記コンプレッサが供給するカソードガス流量を制限する、
請求項３に記載の燃料電池システム。
【請求項５】
前記目標スタック供給流量に基づいて、前記コンプレッサが前記燃料電池スタックに供給すべきカソードガス流量の目標値をスタック要求コンプレッサ供給流量として算出するスタック要求コンプレッサ供給流量算出部と、
前記燃料電池システムから外気に排出する排出ガスに応じて、その排出ガスの水素濃度を所定濃度以下に希釈するためのカソードガス流量を希釈要求コンプレッサ供給流量として算出する希釈要求コンプレッサ供給流量算出部と、
を備え、
前記暫定目標コンプレッサ供給流量算出部は、
前記スタック要求コンプレッサ供給流量、及び、前記希釈要求コンプレッサ供給流量の大きい値を暫定目標コンプレッサ供給流量とする、
請求項４に記載の燃料電池システム。
【請求項６】
前記バイパス可能流量は、
前記バイパス弁の前後差圧に基づいて算出される、
請求項２、請求項４又は請求項５に記載の燃料電池システム。
【国際調査報告】
2013187514.tif 000011
2013187514.tif 000012
2013187514.tif 000013
2013187514.tif 000014